(57)【要約】【課題】モニタに複数画面を表示している状態において、ユーザによる各種操作入力や外部機器の動作状態等に応じて画面の表示形態を自動的に切り換えることで、ユーザに対する操作性の向上を図る。【解決手段】２画面表示モード時、制御部１９は、リモコン１８により任意の画面のオーディオ再生が選択された場合には、そのオーディオ再生が選択された画面を大画面に切り換え、他方の画面を小画面に切り換える。また、制御部１９は、リモコン１８により小画面のチャンネル切り換えが行われた場合には、その小画面の画像を大画面に切り換え、元々の大画面の画像を小画面に切り換える。【選択図】図１
2008227677.tif 000002
【特許請求の範囲】
【請求項１】
２つの映像信号源の受信が可能であり、受信した一方の映像信号源をメイン画面とし、他方の映像信号源をサブ画面としてモニタに２画面を同時に表示するピクチャーインピクチャーまたはピクチャーアウトピクチャー機能を有するテレビジョン放送信号受信装置において、
前記２画面の表示形態を制御する表示制御手段と、
各種操作信号を入力する入力手段とを備え、
前記２画面表示モード時、前記表示制御手段は、前記入力手段により一方の画面のオーディオ再生が選択された場合には、予め設定された一定時間が経過したときに、その選択された画面を大画面に切り換え、他方の画面を小画面に切り換えることを特徴とするテレビジョン放送信号受信装置。
【請求項２】
複数の映像信号源の受信が可能であり、受信した複数の映像信号源の画像をモニタに同時に表示する複数画面表示モードを有するテレビジョン放送信号受信装置において、
複数画面の表示形態を制御する表示制御手段と、
各種操作信号を入力する入力手段とを備え、
複数画面表示モード時、前記表示制御手段は、前記入力手段により任意の画面のオーディオ再生が選択された場合には、その選択された画面を大画面に切り換え、その他の画面を小画面に切り換えることを特徴とするテレビジョン放送信号受信装置。
【請求項３】
複数の映像信号源の受信が可能であり、受信した複数の映像信号源の画像をモニタに同時に表示する複数画面表示モードを有するテレビジョン放送信号受信装置において、
複数画面の表示形態を制御する表示制御手段と、
各種操作信号を入力する入力手段とを備え、
複数画面表示モード時、前記表示制御手段は、前記入力手段により任意の画面のチャンネルが切り換えられた場合には、そのチャンネル切り換えが行われた画面を大画面に切り換え、その他の画面を小画面に切り換えることを特徴とするテレビジョン放送信号受信装置。
【請求項４】
前記表示制御手段は、前記入力手段から前記操作信号を受信すると、予め設定された一定時間が経過したときに画面表示の切り換えを行うことを特徴とする請求項２または請求項３に記載のテレビジョン放送信号受信装置。
【請求項５】
前記表示制御手段は、前記入力手段から前記操作信号を受信すると、予め設定された一定時間が経過する間に画面サイズを徐々に切り換えることを特徴とする請求項２または請求項３に記載のテレビジョン放送信号受信装置。
【請求項６】
前記複数の映像信号源が２つの映像信号源であり、前記表示制御手段は、一方の映像信号源をメイン画面とし、他方の映像信号源をサブ画面として表示するピクチャーインピクチャーまたはピクチャーアウトピクチャー機能を有することを特徴とする請求項3ないし請求項５のいずれかに記載のテレビジョン放送信号受信装置。
【請求項７】
複数の映像信号源の受信を可能とし、受信した複数の映像信号源の画像をモニタに同時に表示する複数画面表示モードを有するテレビジョン放送信号受信装置において、
複数画面の表示形態を制御する表示制御手段と、
外部機器を接続する外部入力端子とを備え、
複数画面表示モード時、前記表示制御手段は、前記外部入力端子に接続された外部機器の動作状態に基づいて前記モニタの複数画面の表示形態を切り換えることを特徴とするテレビジョン放送信号受信装置。
【請求項８】
前記表示制御手段は、前記外部機器が再生状態から停止または一時停止状態に切り換わったとき、当該外部機器からの映像信号の表示画面を大画面から小画面に切り換え、前記外部機器が停止または一時停止状態から再生状態に切り換わったとき、当該外部機器からの映像信号の表示画面を小画面から大画面に切り換えることを特徴とする請求項７に記載のテレビジョン放送信号受信装置。
【請求項９】
２つの映像信号源の受信が可能であり、受信した２つの映像信号源の画像をモニタに同時に表示する２画面表示モードを有するテレビジョン放送信号受信装置において、
前記２画面の表示形態を制御する表示制御手段を備え、
前記２画面表示モード時、前記表示制御手段は、大画面表示中の一方の画像が本編画像からＣＭ画像になったとき、その表示画面を小画面に切り換えるとともに、他方の画面を小画面から大画面に切り換え、ＣＭ画像から本編画像に戻ったとき、その表示画面を小画面から大画面に切り換えるとともに、他方の画面を大画面から小画面に切り換えることを特徴とするテレビジョン放送信号受信装置。
【発明の詳細な説明】
【技術分野】
【０００１】
本発明は、２つの映像信号源の受信が可能であり、一方の映像信号源をメイン画面とし、他方の映像信号源をサブ画面として表示するピクチャーインピクチャー(ＰｉｎＰ)またはピクチャーアウトピクチャー（ＰｏｕｔＰ）機能を有するテレビジョン放送信号受信装置に係り、より詳細には、このような２画面の表示形態の切り換えを行うテレビジョン放送信号受信装置に関する。
【背景技術】
【０００２】
従来から、一方の映像信号源をメイン画面とし、他方の映像信号源をサブ画面とするピクチャーインピクチャー(ＰｉｎＰ)機能、または画面を２分割して個別に表示するピクチャーアウトピクチャー（ＰｏｕｔＰ）機能を有するテレビジョン放送信号受信装置が提供されている（例えば、特許文献１参照）。
【０００３】
このテレビジョン放送信号受信装置は、主要なビデオ信号の特質を検出して分析した特徴に反応して、ＰｉｎＰ画像の特質を変化させる構成となっている。より具体的には、所定時間にわたって前記特質である画像のサイズと位置とを徐々に変化させるようになっている。
【特許文献１】特開２００４−５２１５５３号公報
【発明の開示】
【発明が解決しようとする課題】
【０００４】
上記従来のテレビジョン放送信号受信装置によれば、ＰｉｎＰ画像を主要映像におけるテキスト、顔、または他の重要な対象物上に位置することを防ぐことができる。しかし、例えばユーザがサブ画面を視聴したいと思った場合には、リモコン等の入力手段を用いてユーザが手動操作によってまず画面の切り換え操作を行い、その後、音量等を調整するといった２段階の操作が必要となる。
【０００５】
一方、サブ画面のままでサブ画面側の音量再生を行った場合には、そのサブ画面のままでの視聴が可能である。しかし、この場合には、ユーザが視聴したい画面が小画面であるサブ画面のままとなり、ユーザにとっては視聴しづらい状態が続くことになる。
【０００６】
また、このようなＰｉｎＰ画像ではなく、同じ大きさの２つの画面を左右に２分割したような状態で表示するＰｏｕｔＰ画面の場合には、例えば左側の画面を視聴中に右側の画面のオーディオ再生を実施することで、左側の画面が無音状態となり、右側の画面の視聴が可能となる。しかし、この場合も両方の画面サイズは変わらないことから、ユーザにとって必ずしも視聴しやすい状態ではない。
【０００７】
つまり、メイン画面の中にサブ画面を表示するＰｉｎＰ画面や、２つの画像を並べて表示するＰｏｕｔＰ画面において、その一方の表示画面でユーザがオーディオ再生やチャンネル切り換え等といった何らかの操作を行った場合には、通常、その操作が行われた画面の方にユーザの興味があることは容易に推察できる。そのため、このような何らかの操作が行われた場合には、その操作が行われた画面を大画面に切り換える等の処理を行うことで、ユーザに対する操作性を向上させることができる。
【０００８】
また、ユーザが行う何らかの操作は、必ずしもオーディオ再生やチャンネル切り換えといった操作には限らない。例えば、一方の画面が外部機器からの再生映像画面であった場合には、その外部機器の動作状態の切り換え操作である場合もある。具体的には、再生状態から停止または一時停止状態への切り換え操作が行われた場合、ユーザが、停止または一時停止状態でその画面を視聴することは考えられない。すなわち、大画面で再生映像を視聴中に一時停止状態となったとき、その一時停止画面をメイン画面（大画面）で表示し続けてもあまり意味がないので、この場合にはサブ画面（小画面）に切り換えてもよい。一方、一時停止状態から再生状態に復帰したときには、その再生映像画面を再び大画面で視聴できるように自動的に切り換えれば、ユーザにとって便利である。従って、このような外部機器の動作状態の切り換え操作に従って２画面の表示形態を切り換えることで、ユーザに対する操作性を向上させることができる。
【０００９】
さらに、このようなユーザ操作に限らず、例えばメイン画面で視聴している番組が本編画像からＣＭ画像に切り換わったような場合にも、メイン画面とサブ画面の切り換えが自動的に行われれば、ユーザにとって便利であり、ユーザに対する操作性を向上させることができる。
【００１０】
本発明はかかる実情に鑑みて創案されたもので、その目的は、モニタに複数画面を表示している状態において、ユーザによる各種操作入力や外部機器の動作状態、放送内容の状態等に応じて画面の表示形態を自動的に切り換えることで、ユーザに対する操作性の向上を図ったテレビジョン放送信号受信装置を提供することにある。
【課題を解決するための手段】
【００１１】
上記課題を解決するため、本発明のテレビジョン放送信号受信装置は、複数の映像信号源の受信が可能であり、受信した複数の映像信号源の画像をモニタに同時に表示する複数画面表示モードを有するテレビジョン放送信号受信装置において、複数画面の表示形態を制御する表示制御手段と、各種操作信号を入力する入力手段とを備え、複数画面表示モード時、前記表示制御手段は、前記入力手段により任意の画面のオーディオ再生が選択された場合には、その選択された画面を大画面に切り換え、その他の画面を小画面に切り換えることを特徴としている。具体的には（６）、前記複数の映像信号源が２つの映像信号源であり、前記表示制御手段は、一方の映像信号源をメイン画面とし、他方の映像信号源をサブ画面としてメイン画面の上にサブ画面を重ねて表示するピクチャーインピクチャー機能、または画面を２分割して個別に表示するピクチャーアウトピクチャー機能を有している。
【００１２】
すなわち、モニタに例えば大画面であるメイン画面と小画面であるサブ画面の２画面が表示されている状態において、ユーザがリモコン等の入力手段を操作してサブ画面のオーディオ再生を選択した場合には、今までメイン画面で再生されていた音声が再生中止され、サブ画面の音声が再生（スピーカから出力）されることになる。このとき、表示制御手段は、この操作入力を受けて、音声再生されているサブ画面を大画面のメイン画面に切り換え、これに伴って、音声再生が中止されたメイン画面をサブ画面に切り換える。すなわち、従来、リモコンに設けられていた画面切換ボタンの操作による画面切り換えを行うことなく、サブ画面の音声再生ボタンを操作するだけで、音声切り換えと同時に表示画面切り換え（メインとサブの切り換え）も行うものである。これにより、ユーザの操作性を向上させることができる。
【００１３】
また、本発明のテレビジョン放送信号受信装置は、複数の映像信号源の受信が可能であり、受信した複数の映像信号源の画像をモニタに同時に表示する複数画面表示モードを有するテレビジョン放送信号受信装置において、複数画面の表示形態を制御する表示制御手段と、各種操作信号を入力する入力手段とを備え、複数画面表示モード時、前記表示制御手段は、前記入力手段により任意の画面のチャンネルが切り換えられた場合には、そのチャンネル切り換えが行われた画面を大画面に切り換え、その他の画面を小画面に切り換えることを特徴としている。
【００１４】
すなわち、モニタに例えば大画面であるメイン画面と小画面であるサブ画面の２画面が表示されている状態において、ユーザがリモコン等の入力手段を操作してサブ画面のチャンネル切り換え操作を行った場合には、表示制御手段は、この操作入力を受けて、チャン値の切り換えが行われたサブ画面を大画面のメイン画面に切り換え、これに伴って、それまでのメイン画面をサブ画面に切り換える。すなわち、従来、リモコンに設けられていた画面切換ボタンの操作による画面切り換えを行うことなく、サブ画面のチャンネル切り換え操作を行うだけで、チャンネルの切り換え動作と同時に表示画面の切り換え（メインとサブの切り換え）も行うものである。これにより、ユーザの操作性を向上させることができる。
【００１５】
また、本発明のテレビジョン放送信号受信装置によれば、前記表示制御手段は、前記入力手段から前記操作信号を受信すると、予め設定された一定時間が経過したときに画面表示の切り換えを行うように構成してもよい。また、前記表示制御手段は、前記入力手段から前記操作信号を受信すると、予め設定された一定時間が経過する間に画面サイズを徐々に切り換えるように構成してもよい。
【００１６】
また、本発明のテレビジョン放送信号受信装置は、複数の映像信号源の受信を可能とし、受信した複数の映像信号源の画像をモニタに同時に表示する複数画面表示モードを有するテレビジョン放送信号受信装置において、複数画面の表示形態を制御する表示制御手段と、外部機器を接続する外部入力端子とを備え、複数画面表示モード時、前記表示制御手段は、前記外部入力端子に接続された外部機器の動作状態に基づいて前記モニタの複数画面の表示形態を切り換えることを特徴としている。
【００１７】
具体的には、前記表示制御手段は、前記外部機器が再生状態から停止または一時停止状態に切り換わったとき、当該外部機器からの映像信号の表示画面を大画面から小画面に切り換え、前記外部機器が停止または一時停止状態から再生状態に切り換わったとき、当該外部機器からの映像信号の表示画面を小画面から大画面に切り換える構成としている。
【００１８】
すなわち、外部機器が再生状態から停止または一時停止状態になるということは、ユーザがその再生映像画面の視聴を一時中断しているということであり、この場合には、もう一方の画面を視聴する意図があると考えられる。そのため、本発明では、このような場合に、停止または一時停止状態の画面を大画面から小画面、すなわちサブ画面に切り換え、それまでサブ画面であった小画面を大画面に切り換えてメイン画面による表示とすることで、ユーザが視聴を希望しているであろうと推察される画面を常に大画面、すなわちメイン画面として表示することが可能となる。しかも、このような画面切り換えの操作を、リモコンに設けられている画面切換ボタンの操作を行うことなくできるので、ユーザに対する操作性を向上させることにもなる。
【００１９】
一方、一時停止状態から再生状態に復帰したときには、その再生映像画面を再び大画面で視聴できるように自動的に切り換える。これにより、ユーザは、再生映像画面を再び大画面で視聴することが可能となる。このように、外部機器の動作状態の切り換え操作に従って２画面の表示形態を切り換えることで、ユーザに対する操作性を向上させることができる。
【００２０】
また、本発明のテレビジョン放送信号受信装置は、２つの映像信号源の受信が可能であり、受信した２つの映像信号源の画像をモニタに同時に表示する２画面表示モードを有するテレビジョン放送信号受信装置において、前記２画面の表示形態を制御する表示制御手段を備え、前記２画面表示モード時、前記表示制御手段は、大画面表示中の一方の画像が本編画像からＣＭ画像になったとき、その表示画面を小画面に切り換えるとともに、他方の画面を小画面から大画面に切り換え、ＣＭ画像から本編画像に戻ったとき、その表示画面を小画面から大画面に切り換えるとともに、他方の画面を大画面から小画面に切り換えることを特徴としている。これにより、ユーザは、大画面で視聴中の番組の本編部分を見逃すことなく、ＣＭ中にサブ画面の内容を大画面であるメイン画面に切り換えて、その内容をチェックすることが可能となる。
【発明の効果】
【００２１】
本発明のテレビジョン放送信号受信装置によれば、リモコン等の入力手段に設けられている画面切換ボタンの操作による画面切り換えを行うことなく、小画面であるサブ画面のオーディオ再生を選択するだけで、音声出力の切り換えと同時にオーディオ再生が選択された画面を大画面であるメイン画面に切り換えることができるため、ユーザの視聴したい方の画面を常に大画面で表示できるとともに、ユーザの操作性を向上させることができる。
【００２２】
また、本発明のテレビジョン放送信号受信装置によれば、リモコン等の入力手段に設けられている画面切換ボタンの操作による画面切り換えを行うことなく、小画面であるサブ画面のチャンネル切り換え操作を行うだけで、チャンネルの切り換え動作と同時にチャンネル切り換えが行われた画面を大画面であるメイン画面に切り換えることができるため、ユーザの視聴したい方の画面を常に大画面で表示できるとともに、ユーザの操作性も向上させることができる。
【００２３】
また、本発明のテレビジョン放送信号受信装置によれば、接続されている外部機器が再生状態から停止または一時停止状態に切り換わったとき、当該外部機器からの映像信号の表示画面を大画面から小画面に切り換え、外部機器が停止または一時停止状態から再生状態に切り換わったとき、当該外部機器からの映像信号の表示画面を小画面から大画面に切り換える構成としているので、ユーザが視聴を希望しているであろうと推察される画面を常に大画面で表示することができる。しかも、このような画面切り換えの操作を、リモコン等の入力手段に設けられている画面切換ボタンの操作を行うことなくできるので、ユーザに対する操作性を向上させることができる。
【００２４】
さらに、本発明のテレビジョン放送信号受信装置によれば、大画面表示中の一方の画像が本編画像からＣＭ画像になったとき、その表示画面を小画面に切り換えるとともに、ＣＭ画像から本編画像に戻ったとき、その表示画面を小画面から大画面に切り換える構成としたので、ユーザは、大画面で視聴中の番組の本編部分を見逃すことなく、ＣＭ中にサブ画面の内容を大画面に切り換えて、その内容をチェックすることが可能となる。
【発明を実施するための最良の形態】
【００２５】
以下、本発明の実施の形態について図面１ないし図７を参照して説明する。
【００２６】
図１は、本発明の一実施形態に係るテレビジョン（ＴＶ）放送信号受信装置の機能ブロック図を示している。なお、本実施形態では、２つの映像信号源として、アナログＴＶ放送信号を受信可能なアナログチューナと、デジタルＴＶ放送信号を受信可能なデジタルチューナとを搭載した場合を例に挙げて説明するが、この２つのチューナが共にデジタルチューナであっても、またアナログチューナであってもよい。また、映像信号源も２つに限らず、３つ以上であってもよい。
【００２７】
図１に示すように、ＴＶ放送信号受信装置１は、放送局から配信されるデジタルＴＶ放送信号やアナログＴＶ放送信号をアンテナ１０を介して受信し、ＴＶ放送信号に含まれる映像信号及び音声信号をモニタ２１に出力する装置であり、複数のチューナ１１，１２と、ＡＴＳＣフロントエンド１３と、ＮＴＳＣデコーダ１４と、映像・音声処理部１５と、オンスクリーンディスプレイ部（ＯＳＤ）１６と、メモリ１７と、リモコン２０からの操作信号を受信する受信部１８と、装置全体の動作制御を司るＣＰＵ、ＲＯＭ、ＲＡＭ等からなる制御部１９とを備えている。
【００２８】
ＴＶ放送信号受信装置１には、放送局から所定周波数の高周波電波で発信されるＴＶ放送信号を受信するためのアンテナ１０と、ＴＶ番組の映像を映し出すと共に音声を出力するモニタ２１と、ＴＶ放送信号受信装置１との間で映像信号及び音声信号を入出力するためのハードディスクドライブ（ＨＤＤ）装置やＤＶＤ（Digital Versatile Disc）装置等の外部機器３とが接続されている。
【００２９】
チューナ１１，１２は、その受信周波数を、ユーザにより選局されたチャンネルに対応する周波数に同調させることにより、選局されたチャンネルのＴＶ放送信号をアンテナ１０を介して受信する。
【００３０】
ＡＴＳＣフロントエンド１３は、チューナ１２で受信したデジタルＴＶ放送信号の復調、誤り訂正処理を行い、多重化された信号の中から必要なＴＳ（Transport Stream）パケットを分離し、ＴＶ放送信号受信装置１内の各ブロックへ、それぞれ必要なＴＳパケットを供給する。
【００３１】
ＮＴＳＣデコーダ１４は、チューナ１１で受信したアナログＴＶ放送信号を復号化し、復号化した映像信号をデジタル信号に変換して映像・音声処理部１５に出力する。
【００３２】
映像・音声処理部１５は、ＡＴＳＣフロントエンド１３から入力される映像信号及び音声信号を含むＴＳパケットをデコードするＭＰＥＧ映像デコーダ及びＭＰＥＧ音声デコーダと、ＡＴＳＣフロントエンド１３及びＮＴＳＣデコーダ１４から入力される文字情報を含む信号をデコードして文字情報を抽出する文字情報デコーダと、ＭＰＥＧ映像デコーダによりデコードされた映像信号及びＮＴＳＣデコーダ１４から入力された映像信号を合成してメイン画面及びサブ画面を生成するとともに、合成された画面に文字情報デコーダによりデコードされた文字情報を合成するＰｉｎＰ（ピクチャーインピクチャー）回路及び、ＭＰＥＧ映像デコーダによりデコードされた映像信号及びＮＴＳＣデコーダ１４から入力された映像信号を合成して２画面の分割画面を生成するとともに、合成された画面に文字情報デコーダによりデコードされた文字情報を合成するＰｏｕｔＰ（ピクチャーアウトピクチャー）回路とを備えている。
【００３３】
映像・音声処理部１５で処理された映像信号は、オンスクリーンディスプレイ（ＯＳＤ）部１６を介してモニタ２１に出力され、モニタ画面に映像が表示される。また、映像・音声処理部１５で処理された音声信号はモニタ２１に出力され、不図示のスピーカから音声出力される。このように、映像・音声処理部１５は、映像出力手段、音声出力手段、及び文字情報出力手段として機能する。なお、映像・音声処理部１５には、チューナ１１，１２を介して受信した映像信号及び音声信号が入力される他、外部機器３から外部入力端子２３を介して映像信号及び音声信号が入力される。
【００３４】
オンスクリーンディスプレイ部１６は、映像・音声処理部１５から入力された映像信号に所定の表示画像を重畳させる。メモリ１７は、ＭＰＥＧデコードされた映像信号や、文字情報デコーダによりデコードされた文字情報を一時的に記憶する他、デコードされた映像信号に重畳させる表示画像を記憶する。制御部１９は、不図示のＲＯＭに記憶されているプログラムに従って各種処理を実行し、ＡＴＳＣフロントエンド１３やＮＴＳＣデコーダ１４等、ＴＶ放送信号受信装置１全体を制御する。
【００３５】
次に、複数チャンネルのＴＶ放送信号を受信してＰｉｎＰまたはＰｏｕｔＰ表示する場合（すなわち、２画面表示モード時）のＴＶ放送信号受信装置１の処理について、デジタルＴＶ放送信号及びアナログＴＶ放送信号を受信した場合を例に説明する。
【００３６】
チューナ１１は所定チャンネルのアナログＴＶ放送信号を受信し、受信したアナログＴＶ放送信号をＮＴＳＣデコーダ１４に出力する。ＮＴＳＣデコーダ１４に入力されたアナログＴＶ放送信号は復号化され、デジタル信号に変換された映像信号が映像・音声処理部１５に入力される。一方、チューナ１２は所定チャンネルのデジタルＴＶ放送信号を受信し、受信したデジタルＴＶ放送信号をＡＴＳＣフロントエンド１３に出力する。ＡＴＳＣフロントエンド１３に入力されたデジタルＴＶ放送信号は、ＴＳパケットとして抽出され、映像・音声処理部１５等に入力される。映像・音声処理部１５に入力された映像信号及び音声信号を含むＴＳパケットは、ＭＰＥＧ映像デコーダ及びＭＰＥＧ音声デコーダでＭＰＥＧデコードされる。また、アナログＴＶ放送信号及びデジタルＴＶ放送信号に含まれる文字情報は、文字情報デコーダによりデコードされ、文字情報が抽出される。
【００３７】
映像・音声処理部１５は、ＮＴＳＣデコーダ１４でデジタル信号に変換された映像信号、ＭＰＥＧ映像デコーダでＭＰＥＧデコードされた映像信号、及び文字情報デコーダでデコードされた文字情報を合成してモニタ２１に出力するための映像を生成する。
【００３８】
上記構成のＴＶ放送信号受信装置１において、制御部１９は、ＰｉｎＰまたはＰｏｕｔＰによる２画面表示モード時において、リモコン２０からの各種操作信号や、外部入力端子２３を介して入力される外部機器３の動作状態などに応じて、表示画面の切り換え制御を行うようになっている。以下、この表示画面の切り換え制御について、具体的に実施例を挙げて説明する。
【実施例１】
【００３９】
本実施例１は、オーディオ再生の選択に従って表示画面を切り換える実施例である。図２に示す表示画面例及び図３に示すフローチャートを参照して説明する。ただし、図２は、以下の実施例２〜４においても共通に使用するものとする。
【００４０】
２画面表示モード時、図２（ａ），（ｃ）に示すように、メイン画面４１に画像Ａ、サブ画面４２に画像Ｂが表示されており、不図示のスピーカからはメイン画面４１に表示されている画像Ａの音声が出力され、サブ画面４２に表示されている画像Ｂの音声はミュートされている。
【００４１】
この状態において、リモコン２０により任意の画面のオーディオ再生が選択されると（ステップＳ１）、制御部１９は、その選択されたオーディオ再生がサブ画面４２に表示されている画像Ｂのオーディオ再生か否かを確認する（ステップＳ２）。その結果、選択されたオーディオ再生がメイン画面４１に表示されている画像Ａのオーディオ再生である場合（ステップＳ２でＮｏと判断された場合）には、画面切り換えは行わず、リモコン２０の操作に従ってメイン画面４１のオーディオ再生を続行する（ステップＳ４）。一方、選択されたオーディオ再生がサブ画面４２に表示されている画像Ｂのオーディオ再生である場合（ステップＳ２でＹｅｓと判断された場合）には、制御部１９は、その選択されたサブ画面４２の画像Ｂを大画面側であるメイン画面４１に切り換えて表示し、それまでのメイン画面４１に表示されていた画像Ａをサブ画面４２側に切り換えて表示する。また、画像Ｂの音声をスピーカから出力し、画像Ａの音声をミュート状態とする（ステップＳ３）。これにより、モニタ画面は、図２（ｂ），（ｄ）に示すように、メイン画面４１に画像Ｂが表示され、サブ画面４２に画像Ａが表示されることになる。なお、図２（ｂ），（ｄ）に示すピクチャーアウトピクチャー（ＰｏｕｔＰ）画面では、図２（ａ），（ｃ）に示すピクチャーインピクチャー（ＰｉｎＰ）画像のように画像Ａ，Ｂ自体の表示位置が入れ替わるのではなく、各画像Ａ，Ｂの表示サイズがメイン画面サイズからサブ画面サイズに変更されている。すなわち、表示位置は変わらず、サイズのみを変更することで、メイン画面とサブ画面の画面切り換えを行っている。
【００４２】
なお、リモコン２０によりサブ画面のオーディオ再生を選択する手法としては、ＴＶ放送信号受信装置１及びリモコン２０の仕様にもよるが、例えばリモコン２０にメイン画面のオーディオ再生ボタンとサブ画面のオーディオ再生ボタンとが個別に設けられている場合には、サブ画面のオーディオ再生ボタンを押すことによって、サブ画面のオーディオ再生が選択可能である。
【００４３】
このように、モニタ２１にメイン画面４１とサブ画面４２の２画面が表示されている状態において、ユーザがリモコン２０を操作してサブ画面４２のオーディオ再生を選択した場合には、今までメイン画面４１で再生されていた画像Ａの音声がミュートされ、サブ画面４２で再生されていた画像Ｂの音声がスピーカから出力される。これと同時に、音声再生されているサブ画面４２の画像Ｂの表示をメイン画面４１側に切り換え、これに伴って、音声ミュートされた画像Ａの表示をサブ画面４２側に切り換えている。これにより、ユーザがリモコン操作を行った方の画像が常にメイン画面４１に表示されることになる。
【００４４】
すなわち、従来、リモコンに設けられている不図示の画面切換ボタンの操作による画面切り換えを行うことなく、サブ画面のオーディオ再生ボタンを操作するだけで、音声切り換えと同時に表示画面の切り換えも行うことで、ユーザが興味を持っていると推察される画像を常にメイン画面４１で表示することが可能となる。これにより、ユーザによる画面切換ボタンの操作が不要となることから、操作性を向上させることができる。
【実施例２】
【００４５】
本実施例２は、チャンネル切り換え操作に従って表示画面を切り換える実施例である。図４に示すフローチャート及び図２に示す表示画面例を参照して説明する。
【００４６】
２画面表示モード時、図２（ａ），（ｃ）に示すように、メイン画面４１に画像Ａ、サブ画面４２に画像Ｂが表示されており、不図示のスピーカからはメイン画面４１に表示されている画像Ａの音声が出力され、サブ画面４２に表示されている画像Ｂの音声はミュートされている。
【００４７】
この状態において、リモコン２０により任意の画面のチャンネル切り換え操作が行われると（ステップＳ１１）、制御部１９は、そのチャンネル切り換え操作がサブ画面４２に表示されている画像Ｂのチャンネル切り換えであるか否かを確認する（ステップＳ１２）。その結果、メイン画面４１に表示されている画像Ａのチャンネル切り換えである場合（ステップＳ１２でＮｏと判断された場合）には、メイン画面４１とサブ画面４２の画面切り換えは行わず、リモコン２０の操作に従ってメイン画面４１のチャンネル切り換えを行う（ステップＳ１４）。一方、チャンネル切り換えがサブ画面４２のチャンネル切り換えである場合（ステップＳ１２でＹｅｓと判断された場合）には、制御部１９は、そのチャンネル切り換えが行われたサブ画面４２の画像Ｂを大画面側であるメイン画面４１に切り換えて表示し、それまでのメイン画面４１に表示されていた画像Ａをサブ画面４２側に切り換えて表示する。また、画像Ｂの音声をスピーカから出力し、画像Ａの音声をミュート状態とする（ステップＳ１３）。これにより、モニタ画面は、図２（ｂ），（ｄ）に示すように、メイン画面４１に画像Ｂが表示され、サブ画面４２に画像Ａが表示されることになる。ここで、本実施例２では、最初のチャンネル切り換え操作によって、メイン画面４１とサブ画面４２の表示画面のみを切り換えるようにしているが、メイン画面４１には、画像Ｂではなく、切り換え後の画像Ｃを表示するようにしてもよい。
【００４８】
なお、リモコン２０によりサブ画面のチャンネル切り換えを行う手法としては、ＴＶ放送信号受信装置１及びリモコン２０の仕様にもよるが、例えばリモコン２０にメイン画面のチャンネル切換ボタンとサブ画面のチャンネル切換ボタンとが個別に設けられている場合には、サブ画面のチャンネル切換ボタンを押すことによって、サブ画面のチャンネル切り換えを行うことが可能である。
【００４９】
このように、モニタ２１にメイン画面４１とサブ画面４２の２画面が表示されている状態において、ユーザがリモコン２０を操作してサブ画面４２のチャンネル切り換えを行った場合には、今までメイン画面４１で再生されていた画像Ａの音声がミュートされ、サブ画面４２で再生されていた画像Ｂの音声がスピーカから出力される。これと同時に、音声再生されているサブ画面４２の画像Ｂ（または、切り換え後の画像Ｃ）の表示をメイン画面４１側に切り換え、音声ミュートされた画像Ａの表示をサブ画面４２側に切り換えている。これにより、ユーザがリモコン操作を行った方の画像が常にメイン画面４１に表示されることになる。
【００５０】
すなわち、従来、リモコンに設けられている不図示の画面切換ボタンの操作による画面切り換えを行うことなく、サブ画面のチャンネル切換ボタンを操作するだけで、メイン画面４１とサブ画面４２の画像表示の切り換えを行うことで、ユーザが興味を持っていると推察される画像を常にメイン画面４１で表示することが可能となる。これにより、ユーザによる画面切換ボタンの操作が不要となることから、操作性を向上させることができる。
【実施例３】
【００５１】
本実施例３は、外部入力端子２３に接続されている外部機器３の動作状態に応じて表示画面を切り換える実施例である。外部入力端子２３としては、例えばＩＥＥＥ１３９４規格や、ＨＤＭＩ(High Definition Multimedia Interface)規格に準拠したものを使用する。これにより、制御部１９側において、外部機器３の動作状態を認識することが可能となる。以下、図５に示すフローチャート及び図２に示す表示画面例を参照して説明する。
【００５２】
２画面表示モード時、図２（ａ），（ｃ）に示すように、メイン画面４１に外部機器３の再生画像Ａが表示され、サブ画面４２に例えばチューナ１２で受信しているデジタルＴＶ放送信号の画像Ｂが表示されてるものとし、不図示のスピーカからはメイン画面４１に表示されている再生画像Ａの音声が出力され、サブ画面４２に表示されている画像Ｂの音声はミュートされているものとする。
【００５３】
この状態において、制御部１９は、外部入力端子２３の状態を常に監視して、接続されている外部機器３の動作状態を確認する（ステップＳ２１）。その結果、外部機器３が再生状態から停止または一時停止状態に切り換わったとき（ステップＳ２２でＹｅｓと判断されると）、制御部１９は、外部機器３からの再生画像Ａの表示をメイン画面４１からサブ画面４２側に切り換え、それまでのサブ画面４２に表示されていた画像Ｂをメイン画面４１側に切り換えて表示する。また、画像Ｂの音声をスピーカから出力し、再生画像Ａの音声をミュート状態とする（ステップＳ２３）。これにより、モニタ画面は、図２（ｂ），（ｄ）に示すように、メイン画面４１に画像Ｂが表示され、サブ画面４２に再生画像Ａが表示されることになる。
【００５４】
この後、外部機器３が停止または一時停止状態から再生状態に再び切り換わったとき（ステップＳ２４でＹｅｓと判断されると）、制御部１９は、外部機器３からの再生画像Ａの表示をサブ画面４２からメイン画面４１側に再び切り換え、それまでのメイン画面４１に表示されていた画像Ｂをサブ画面４２側に切り換えて表示する。また、再生画像Ａの音声をスピーカから出力し、画像Ｂの音声をミュート状態とする（ステップＳ２５）。制御部１９は、外部機器３の電源がオフされまるで、上記の処理を繰り返す。
【００５５】
このように、外部機器３の動作状態の切り換え操作に従って２画面の表示形態を切り換えることで、外部機器３を使用するときのユーザの操作性を向上させることができる。
【００５６】
なお、本実施例３は、外部機器３の動作状態として、再生状態と停止または一時停止状態との切り換えを例に挙げて説明しているが、例えば外部機器３の電源のオン、オフによって表示画面を切り換えるように構成してもよい。すなわち、外部機器３の電源がオンされると、外部機器３からの再生映像を表示するためのビデオ画面をメイン画面４１とし、それまでメイン画面４１に表示されていた画像（例えばＤ）をサブ画面４２に表示する。なお、この時点で元々サブ画面４２に表示されていた画像（例えばＥ）は消去されることになる。一方、外部機器３の電源がオフされると、ビデオ画面をメイン画面４１からサブ画面４２側に切り換え、サブ画面４２に表示されていた画像Ｄをメイン画面４１側に切り換えるようにしてもよい。このように、外部機器３の電源のオン、オフ切り換え操作に従って２画面の表示形態を切り換えることで、外部機器３を使用するときのユーザの操作性をさらに向上させることができる。
【実施例４】
【００５７】
本実施例４は、表示画像が番組の本編画像からＣＭ画像に切り換わったときに表示画面を切り換える実施例である。なお、本編画像からＣＭ画像への切り換わりの検出手法としては、アナログ放送ではステレオとモノラルの違いによって本編画像とＣＭ画像とを検出することができる。また、デジタル放送では、デジタルＴＶ放送信号に含まれている制御情報の中に本編画像とＣＭ画像を区別する情報を入れておくことによって、本編画像とＣＭ画像とを検出することができる。以下、図６に示すフローチャート及び図２に示す表示画面例を参照して説明する。
【００５８】
例えば、図２（ａ），（ｃ）に示すように、メイン画面４１にチューナ１２で受信しているデジタルＴＶ放送信号の画像Ａを表示し、サブ画面４２にチューナ１１で受信しているアナログＴＶ放送信号の画像Ｂを表示している状態において、制御部１９は、メイン画面４１の画像Ａが番組の本編画像からＣＭ画像に切り換わったか否かを監視する（ステップＳ３１）。そして、番組が本編画像からＣＭ画像に切り換わると（ステップＳ３１でＹｅｓと判断されると）、制御部１９は、そのＣＭ画像Ａの表示をメイン画像４１からサブ画像４２側に切り換え、それまでのサブ画面４２に表示されていた画像Ｂをメイン画面４１側に切り換えて表示する。また、画像Ｂの音声をスピーカから出力し、ＣＭ画像Ａの音声をミュート状態とする（ステップＳ３２）。これにより、モニタ画面は、図２（ｂ），（ｄ）に示すように、メイン画面４１に画像Ｂが表示され、サブ画面４２にＣＭ画像Ａが表示されることになる。
【００５９】
この後、サブ画面４２に表示されている画像がＣＭ画像から本編画像に切り換わったとき（ステップＳ３３でＹｅｓと判断されると）、制御部１９は、本編画像Ａの表示をサブ画面４２からメイン画面４１側に再び切り換え、それまでのメイン画面４１に表示されていた画像Ｂをサブ画面４２側に切り換えて表示する。また、本編画像Ａの音声をスピーカから出力し、画像Ｂの音声をミュート状態とする（ステップＳ３４）。制御部１９は、メイン画像４１に表示しているデジタルＴＶ放送信号の画像Ａが、本編画像からＣＭ画像に及びＣＭ画像から本編画像に切り換わるたびに、上記の処理を繰り返す。これにより、ユーザは、メイン画面４１で視聴中の番組の本編部分を見逃すことなく、ＣＭ中にサブ画面４２の内容をメイン画面４１に切り換えて、その内容をチェックすることが可能となる。
【００６０】
なお、上記実施例１〜４では、オーディオ再生の選択動作や、チャンネル切り換え動作や、外部機器の動作状態の変化や、放送内容の状態変化（本編とＣＭの切り換わり）に基づいて、モニタ２１の２画面表示の切り換えを即座に行っているが、この画面切り換えは、これらの動作や変化があった後、予め設定された一定時間（例えば、５秒等）が経過したときに、画面表示の切り換えを行うように構成してもよい。
【００６１】
また、このときの画面表示の切り換えを、この一定時間が経過する間に画面サイズを徐々に変更することで切り換えるようにしてもよい。ただし、この場合の画面表示の切り換えは、図２（ｂ），（ｄ）に示すピクチャーアウトピクチャー（ＰｏｕｔＰ）の画面表示が対象となる。すなわち、図７（ａ）に示すように、メイン画面４１とサブ画面４２の境である区切り線４８を、一定時間が経過する間に、矢印Ｘで示す方向に徐々に移動することで、図７（ｂ）に示すように、画像Ａと画像Ｂの表示位置はそのままで、メイン画面４１とサブ画面４２とを切り換えるものである。
【図面の簡単な説明】
【００６２】
【図１】本発明のテレビジョン放送信号受信装置の電気的構成を示す機能ブロック図である。
【図２】２画面表示モード時の表示画面例を示す説明図である。
【図３】実施例１の処理を説明するためのフローチャートである。
【図４】実施例２の処理を説明するためのフローチャートである。
【図５】実施例３の処理を説明するためのフローチャートである。
【図６】実施例４の処理を説明するためのフローチャートである。
【図７】２画面表示モード時の他の表示画面例を示す説明図である。
【符号の説明】
【００６３】
１  テレビジョン放送信号受信装置（ＴＶ放送信号受信装置）
３  外部機器
１１，１２  チューナ
１３  ＡＴＳＣフロントエンド
１４  ＮＴＳＣレコーダ
１５  映像・音声処理部
１６  ＯＳＤ部
１７  メモリ
１８  受信部
１９  制御部
２０  リモコン
２１  モニタ
２３  外部入力端子
【図１】
2008227677.tif 000003
【図２】
2008227677.tif 000004
【図３】
2008227677.tif 000005
【図４】
2008227677.tif 000006
【図５】
2008227677.tif 000007
【図６】
2008227677.tif 000008
【図７】
2008227677.tif 000009